(57)【要約】      （修正有）【課題】サービス品質及びユーザの利便性を向上させることができるモバイルコンテンツ管理装置を開示する。【解決手段】モバイルコンテンツ管理装置はモバイルコンテンツの類型に応じて定立された一般的な標準によるメタデータ以外にもモバイルコンテンツ間の連動、統計データ算出及びユーザの要求に応じた特化されたサービスを提供するための多様なメタデータを備える。これにより、モバイルコンテンツ管理装置はモバイルコンテンツに係る多様な条件の統計データ、ユーザごとに特化されたサービス及び他の類型のモバイルコンテンツ間の連係サービスを提供することができるので、サービス品質及びユーザの利便性を向上させることができる。【選択図】図１
2007157122.tif 000002
【特許請求の範囲】
【請求項１】
モバイルコンテンツの一般的な属性を定義するメタデータからなる第１メタ情報、前記モバイルコンテンツの類型別固有属性を定義するメタデータからなる第２メタ情報、前記モバイルコンテンツの統計関連のメタデータ及び前記相異なるモバイルコンテンツ間の連結関係を示すメタデータからなる第３メタ情報を保存するデータ保存部と、
前記モバイルコンテンツを登録するように、前記第１ないし第３メタ情報を形成するメタデータを入力するユーザインターフェースを提供し、前記ユーザインターフェースを介して入力された前記メタデータを前記データ保存部に保存する制御部とを備えることを特徴とするモバイルコンテンツ管理装置。
【請求項２】
第１メタ情報は、各モバイルコンテンツを区別するためのコンテンツ識別子情報、前記モバイルコンテンツの名称情報、前記モバイルコンテンツの類型情報、前記モバイルコンテンツが属するカテゴリ情報、前記モバイルコンテンツで支援される言語を示す言語情報、前記モバイルコンテンツに係る他の類型のモバイルコンテンツと連動するためのプロモーション情報を含むことを特徴とする請求項１に記載のモバイルコンテンツ管理装置。
【請求項３】
前記第１メタ情報はダブリン・コアで制定したインターネットコンテンツの一般的な属性を定義するメタデータを含むことを特徴とする請求項１に記載のモバイルコンテンツ管理装置。
【請求項４】
前記第２メタ情報は、
前記モバイルコンテンツの各類型に応じて有する一般的な属性を示すメタデータからなる類型別一般情報と、
前記モバイルコンテンツファイルの物理的な属性を示すメタデータからなる物理的属性情報と、
前記モバイルコンテンツの類型に応じて独特の属性を示すメタデータからなる類型別個別情報と、
前記モバイルコンテンツの保護、暗号化及び前記モバイルコンテンツの利用料金に対する情報を含む実用情報とを含むことを特徴とする請求項１に記載のモバイルコンテンツ管理装置。
【請求項５】
前記類型別一般情報は、前記モバイルコンテンツを構成する各アイテムの名称、前記各アイテムに対する簡略説明、前記各アイテムの入力値で入力されるデータの類型、前記各アイテムの優先順位に対する情報を含むことを特徴とする請求項４に記載のモバイルコンテンツ管理装置。
【請求項６】
物理的属性情報は、前記モバイルコンテンツファイルの類型、前記モバイルコンテンツファイルのサイズ及び前記モバイルコンテンツファイルが保存された物理的位置を含むことを特徴とする請求項４に記載のモバイルコンテンツ管理装置。
【請求項７】
前記モバイルコンテンツの類型は、
オーディオファイルを提供するオーディオコンテンツと、
動画ファイルを提供する動画コンテンツと、
イメージファイルを提供するイメージコンテンツと、
仮想マシンで動作する実行ファイルを提供する仮想マシンコンテンツと、
デジタル放送サービスを提供する放送コンテンツと、
インターネットテキストファイルを提供するテキストコンテンツを含むことを特徴とする請求項４に記載のモバイルコンテンツ管理装置。
【請求項８】
前記オーディオコンテンツに対応する前記類型別個別情報は、前記オーディオコンテンツの作曲者、歌手、製作者、歌詞、曲の雰囲気に対する情報を含むことを特徴とする請求項７に記載のモバイルコンテンツ管理装置。
【請求項９】
前記オーディオコンテンツに対応する前記類型別個別情報は、光学保存技術連合会で制定されたメタデータ標準であるＭＰＶ（ミュージックフォトビデオ；MPV）標準で定義したメタデータを含むことを特徴とする請求項８に記載のモバイルコンテンツ管理装置。
【請求項１０】
前記イメージコンテンツに対応する前記類型別個別情報は、ＭＰＶ標準を含むことを特徴とする請求項７に記載のモバイルコンテンツ管理装置。
【請求項１１】
前記動画コンテンツに対応する前記物理的属性情報は、前記動画ファイルが有する画質に応じて分類されることを特徴とする請求項７に記載のモバイルコンテンツ管理装置。
【請求項１２】
前記動画コンテンツに対応する前記類型別個別情報は、動画の登場人物、前記動画を製作した製作者、前記動画のコーディング関連情報、動画で支援する言語を示す情報を含むことを特徴とする請求項７に記載のモバイルコンテンツ管理装置。
【請求項１３】
前記動画コンテンツに対応する前記類型別個別情報は、ＭＰＶ標準によって定義されたメタデータを含むことを特徴とする請求項１２に記載のモバイルコンテンツ管理装置。
【請求項１４】
前記放送コンテンツに対応する類型別一般情報は、放送局から送出される放送ストリームに係る属性情報を含むことを特徴とする請求項７に記載のモバイルコンテンツ管理装置。
【請求項１５】
前記仮想マシンコンテンツに対応する前記類型別個別情報は、前記仮想マシンの類型、前記仮想マシンのバージョン、前記仮想マシンが要求するソフトウェアの仕様情報、前記仮想マシンが要求するハードウェアの仕様情報を含むことを特徴とする請求項７に記載のモバイルコンテンツ管理装置。
【請求項１６】
前記仮想マシンコンテンツに対応する前記類型別個別情報は、ＯＭＡ（オープンモバイルアライアンス）で制定されたユーザエージェントプロファイル標準によって定義されたメタデータを含むことを特徴とする請求項７に記載のモバイルコンテンツ管理装置。
【請求項１７】
前記テキストコンテンツに対応する類型別個別情報は、前記インターネットテキストのタイトル、前記インターネットテキストのソース、前記インターネットテキストで支援可能な言語に対する情報を含むことを特徴とする請求項７に記載のモバイルコンテンツ管理装置。
【請求項１８】
前記テキストコンテンツに対応する前記類型別個別情報は、ワールドワイドウェブコンソーシアムで制定されたＲＳＳ（ＲＤＦ（リソースデスクリプションフレームワーク）サイトサマリ）標準によって定義されたメタデータを含むことを特徴とする請求項１７に記載のモバイルコンテンツ管理装置。
【請求項１９】
前記第３メタ情報は、前記モバイルコンテンツのダウンロード回数および前記モバイルコンテンツにアクセスした回数を示すメタデータを含むことを特徴とする請求項１に記載のモバイルコンテンツ管理装置。
【請求項２０】
前記モバイルコンテンツに対応するメタデータ及び前記モバイルコンテンツを無線通信網を介して無線端末機に伝送する通信部を更に含むことを特徴とする請求項１に記載のモバイルコンテンツ管理装置。
【請求項２１】
前記第１及び第２メタ情報を用いて前記第３メタ情報を生成するメタ情報検出部を更に含むことを特徴とする請求項１に記載のモバイルコンテンツ管理装置。
【請求項２２】
前記データ保存部は、前記モバイルコンテンツのユーザの要求に応じて追加される付加情報を示すメタデータを更に含むことを特徴とする請求項１に記載のモバイルコンテンツ管理装置。
【発明の詳細な説明】
【技術分野】
【０００１】
本発明はモバイルコンテンツ管理装置に関し、より詳細には無線通信網を介して無線通信端末機にコンテンツを提供するモバイルコンテンツ管理装置に関する。
【背景技術】
【０００２】
最近、無線通信技術の発達に伴い、携帯電話、ＰＤＡ、ＤＭＢフォーンなど様々なモバイル通信端末機が開発されて来ており、それと共に多様な無線通信サービスが開発及び提供されている。特に、無線端末機で無線通信網を介してインターネットサービスを利用する無線インターネットサービスが開発され、それに伴い、無線端末機で駆動されるコンテンツ、例えば無線通信端末機の着信音を支援する着信音ファイル、イメージファイル、動画ファイル、音楽ファイル、ゲームファイルなどを提供する様々なモバイルコンテンツサービスが開発されている。
【０００３】
無線端末機におけるモバイルコンテンツサービスの利用過程は、初めに無線端末機が無線通信網を介してコンテンツサービスを提供するコンテンツサービス装置に接続した後、サービス装置から特定コンテンツのアイテムをダウンロードする過程を通じてからモバイルコンテンツサービスが行われる。
【０００４】
このようなモバイルコンテンツサービスを提供するために、コンテンツサービス装置はアイテムを提供するためのアイテムファイル及びモバイルコンテンツを管理するメタデータを保存する。
【０００５】
メタデータは特定データを説明するための構造化されたデータであって、データの体系的な管理及びデータを用いた各種サービスを提供するのに多様に用いられている。
【０００６】
現在、メタデータの多様な活用および情報共有のために、インターネットコンテンツ、インターネットテキスト情報、オンライン図書情報、マルチメディアなどの特定分野別にメタデータを標準化しようとする傾向にある。下記の（表１）は、各分野別のメタデータ標準の一例を示す。
【０００７】
【表１】
2007157122.tif 000003
（表１）に示すように、現在のメタデータ標準は必要に応じて特定分野別に行われ、ネットワーク上でデータを記述する基本フォーマットを定義する。メタデータの標準化は情報共有およびデータ互換などのために非常に重要である。しかし、今のところモバイルコンテンツの定型化されたメタデータの標準は存在せず、モバイルコンテンツサービスを提供するサービス供給者ごとにそれぞれ異なるデータ標準を定義してモバイルコンテンツを提供しているため、情報共有及びデータ互換が難しい。
【０００８】
特に、モバイルコンテンツサービスにおけるメタデータは、無線端末機ユーザがアイテムを選択するのに必要な情報を提供し、アイテムを体系的に管理するために必要なデータであるため、サービスの多様化及びサービスの品質を向上させるのに重要な役割を果たす。しかし、現在のモバイルコンテンツサービスの供給者別に使用するメタデータ標準が、多様なメタデータを確保するように設計されていないことから、ユーザの特性を考慮した特化されたモバイルコンテンツサービスを提供することができず、かつ関連するモバイルコンテンツ間の連係サービスを提供することができないためサービス品質が低下する。
【特許文献１】韓国公開特許第２００５−０１７１３３号公報
【特許文献２】韓国公開特許第２００５−０５６７６４号公報
【特許文献３】日本公開特許第２００４−２４７８４４号公報
【発明の開示】
【発明が解決しようとする課題】
【０００９】
本発明は前述の問題点を解決するために提出されたもので、本発明の目的は、サービス品質を向上させることができるモバイルコンテンツ管理装置を提供することにある。
【課題を解決するための手段】
【００１０】
本発明の目的を実現するためのモバイルコンテンツ管理装置は、モバイルコンテンツの一般的な属性を定義するメタデータからなる第１メタ情報、前記モバイルコンテンツの類型別固有属性を定義するメタデータからなる第２メタ情報、前記モバイルコンテンツの統計関係のメタデータ及び前記相異なるモバイルコンテンツ間の連結関係を示すメタデータからなる第３メタ情報を保存するデータ保存部と、前記モバイルコンテンツを登録するように、前記第１ないし第３メタ情報を形成するメタデータを入力するユーザインターフェースを提供し、前記ユーザインターフェースを介して入力された前記メタデータを前記データ保存部に保存する制御部と、を備える。
【００１１】
好ましくは、第１メタ情報は、各モバイルコンテンツを区別するためのコンテンツ識別子情報、前記モバイルコンテンツの名称情報、前記モバイルコンテンツの類型情報、前記モバイルコンテンツが属するカテゴリ情報、前記モバイルコンテンツで支援される言語を示す言語情報、前記モバイルコンテンツに係る他の類型のモバイルコンテンツと連動するためのプロモーション情報を含む。
【００１２】
より好ましくは、前記第１メタ情報はダブリン・コアで制定したインターネットコンテンツの一般的な属性を定義するメタデータを含む。
【００１３】
また、好ましくは、前記第２メタ情報は、前記モバイルコンテンツの各類型に応じて有する一般的な属性を示すメタデータからなる類型別一般情報と、前記モバイルコンテンツファイルの物理的な属性を示すメタデータからなる物理的属性情報と、前記モバイルコンテンツの類型に応じて独特の属性を示すメタデータからなる類型別個別情報と、前記モバイルコンテンツの保護、暗号化及び前記モバイルコンテンツの利用料金に対する情報を含む実用情報と、を含む。
【００１４】
前記類型別一般情報は、前記モバイルコンテンツを構成する各アイテムの名称、前記各アイテムに対する簡略説明、前記各アイテムの入力値で入力されるデータの類型、前記各アイテムの優先順位に対する情報を含む。
【００１５】
前記物理的属性情報は、前記モバイルコンテンツファイルの類型、前記モバイルコンテンツファイルのサイズ及び前記モバイルコンテンツファイルが保存された物理的位置を含む。
【００１６】
また、前記モバイルコンテンツの類型は、オーディオファイルを提供するオーディオコンテンツと、動画ファイルを提供する動画コンテンツと、イメージファイルを提供するイメージコンテンツと、仮想マシンで動作するゲーム実行ファイルなどを提供する仮想マシンコンテンツと、デジタル放送サービスを提供する放送コンテンツと、インターネットテキストファイルを提供するテキストコンテンツと、を含む。
【００１７】
好ましくは、前記オーディオコンテンツに対応する前記類型別個別情報は、前記オーディオコンテンツの作曲者、歌手、製作者、歌詞、曲の雰囲気に対する情報を含む。
【００１８】
より好ましくは、前記オーディオコンテンツに対応する前記類型別個別情報は、光学保存技術連合会で制定されたメタデータ標準であるＭＰＶ（ミュージックフォトビデオ）標準によって定義されたメタデータを含む。
【００１９】
好ましくは、前記イメージコンテンツに対応する前記類型別個別情報は、ＭＰＶ標準を含む。
【００２０】
このましくは、前記動画コンテンツに対応する前記物理的属性情報は、前記動画ファイルが有する画質に応じて分類される。
【００２１】
また、前記動画コンテンツに対応する前記類型別個別情報は、動画の登場人物、前記動画を製作した製作者、前記動画のコーディング関連情報、動画で支援する言語を示す情報を含む。
【００２２】
より好ましくは、前記動画コンテンツに対応する前記類型別個別情報は、ＭＰＶ標準によって定義されたメタデータを含む。
【００２３】
また、前記放送コンテンツに対応する類型別一般情報は、放送局から送出される放送ストリームに係る属性情報を含む。
【００２４】
また、前記仮想マシンコンテンツに対応する前記類型別個別情報は、前記仮想マシンの類型、前記仮想マシンのバージョン、前記仮想マシンが要求するソフトウェアの仕様情報、前記仮想マシンが要求するハードウェアの仕様情報を含む。
【００２５】
より好ましくは、前記仮想マシンコンテンツに対応する前記類型別個別情報は、ＯＭＡ（オープンモバイルアライアンス）で制定されたユーザエージェントプロファイル標準によって定義されたメタデータを含む。
【００２６】
また、前記テキストコンテンツに対応する類型別個別情報は、前記インターネットテキストのタイトル、前記インターネットテキストのソース、前記インターネットテキストで支援可能な言語に対する情報を含む。
【００２７】
より好ましくは、前記テキストコンテンツに対応する前記類型別個別情報は、ワールドワイドウェブコンソーシアムで制定されたＲＳＳ（ＲＤＦ（リソースデスクリプションフレームワーク）サイトサマリ）標準によって定義されたメタデータを含む。
【００２８】
好ましくは、前記第３メタ情報は、前記モバイルコンテンツのダウンロード回数および前記モバイルコンテンツにアクセスした回数を示すメタデータを含む。
【００２９】
一方、モバイルコンテンツ管理装置は、前記モバイルコンテンツに対応するメタデータ及び前記モバイルコンテンツを無線通信網を介して無線端末機に伝送する通信部を更に含むことができる。
【００３０】
また、モバイルコンテンツ管理装置の前記第１及び第２メタ情報を用いて前記第３メタ情報を生成するメタ情報検出部を更に含むことができる。
【００３１】
また、モバイルコンテンツ管理装置の前記データ保存部は、前記モバイルコンテンツのユーザの要求に応じて追加される付加情報を示すメタデータを更に含むことができる。
【発明の効果】
【００３２】
本発明によると、モバイルコンテンツ管理装置は、モバイルコンテンツの類型に応じて定立された一般的なメタデータの標準によるメタデータ以外にも、モバイルコンテンツ間の連動、統計データ算出及びユーザの要求に応じて特化されたサービスを提供するためのメタデータを提供する。
【００３３】
これにより、モバイルコンテンツ管理装置は、モバイルコンテンツをユーザの要求に応じて多様な方法で提供することができるので、サービスの品質を向上させることができる。
【００３４】
また、モバイルコンテンツ管理装置は、関連する相異なる類型のモバイルコンテンツを連携して提供することができるので、モバイルコンテンツ事業者の利益創出とユーザの利便性を向上させることができる。
【００３５】
また、モバイルコンテンツ管理装置は、モバイルコンテンツに係る多様な条件の統計データを算出することができるので、モバイルコンテンツサービスの開発方向を提示することができる。
【００３６】
また、モバイルコンテンツ管理装置は、ユーザが該当無線端末機の仕様に合わないモバイルコンテンツのダウンロードを防止できるので、ユーザが端末機で駆動できないモバイルコンテンツを選択することによって生じる損害を防止することができる。
【発明を実施するための最良の形態】
【００３７】
以下、添付の図面に基づいて本発明の好適な実施形態を詳述する。
【００３８】
図１は、本発明の一実施形態に係るモバイルコンテンツ管理装置を示すブロック図である。
【００３９】
同図に示すように、本発明に係るモバイルコンテンツ管理装置１００は、通信部１１０、データ保存部１２０、メタ情報検出部１３０、入力部１４０、制御部１５０、及びディスプレイ１６０を含む。
【００４０】
通信部１１０は、有線通信網２００及び無線通信網４００と連結され、有線通信網２００及び無線通信網４００と連結された装置とデータを送受信する。つまり、通信部１１０は有線通信網２００に連結されたコンテンツ提供装置３００からデータを送受信する。
【００４１】
ここで、コンテンツ提供装置３００は、携帯電話やデジタル衛星放送（Ｄｉｇｉｔａｌ  Ｓａｔｅｌｌｉｔｅ  Ｂｒｏａｄｃａｓｔ：以下、ＤＭＢ）端末機のような無線端末機５００で駆動される多様なモバイルコンテンツを提供する。モバイルコンテンツとしては、無線端末機５００の着信音ファイルや音楽ファイルを提供するオーディオコンテンツ、映画やミュージックビデオのような動画ファイルを提供する動画コンテンツ、デジタル写真や絵のようなイメージファイルを提供するイメージコンテンツ、モバイルゲームのようなソフトウェアを提供する仮想マシンコンテンツ、デジタル放送サービスを提供する放送コンテンツ、ウェブニュースなどを提供するテキストコンテンツなどがある。
【００４２】
本実施形態において、通信部１１０は有線通信網２００を介してコンテンツ提供装置３００と連結されるが、無線通信網４００を介してコンテンツ提供装置３００と連結されることもできる。図示していないが、通信部１１０は多数のコンテンツ提供装置と連結されることもできる。
【００４３】
また、通信部１１０は、無線通信網４００に連結された無線端末機５００からデータを送受信する。つまり、通信部１１０は無線通信網４００を介して無線端末機５００にモバイルコンテンツを伝送する。
【００４４】
一方、データ保存部１２０は通信部１１０から受信したデータ及びモバイルコンテンツに対応するメタデータを保存する。メタデータはコンテンツ提供装置３００から提供されるか入力部１４０を介して入力されることもできる。コンテンツ提供装置３００からメタデータが提供される場合、コンテンツ提供装置３００は有線通信網２００または無線通信網４００を介してメタデータを通信部１１０に伝送し、通信部１１０は受信されたメタデータをデータ保存部１２０に提供する。
【００４５】
以下、図２及び図３に基づいてデータ保存部１２０に保存されたメタデータのテーブル構造及びデータ構成を説明する。
【００４６】
図２は図１に示されたデータ保存部のテーブルを示すブロック図であり、図３は図１に示されたデータ保存部のメタ情報を示すブロック図である。
【００４７】
図２及び図３に示すように、データ保存部１２０は、コンテンツ一般情報テーブル１２１、追加属性定義テーブル１２２、追加属性値テーブル１２３、コンテンツ種類情報テーブル１２４、統計情報テーブル１２５、及びマッピング情報テーブル１２６を含み、各テーブル１２１、１２２、１２３、１２４、１２５、１２６はモバイルコンテンツのメタデータを保存する。
【００４８】
本実施形態において、データ保存部１２０は６個のメタ情報テーブル１２１、１２２、１２３、１２４、１２５、１２６を含むが、データ保存部１２０のテーブルの個数はデータ保存部１２０に保存されるメタデータの属性及びメタデータの運用方法によって増加または減少することがある。
【００４９】
図３に示すように、データ保存部１２０に保存されるメタ情報は、第１ないし第３のメタ情報ＭＩ１、ＭＩ２、ＭＩ３を含む。具体的に、第１メタ情報ＭＩ１は、モバイルコンテンツの種類、即ち、類型に関係なく共通で適用されるメタデータからなる。つまり、第１メタ情報ＭＩ１は、モバイルコンテンツの一般的な属性を定義するメタデータからなる。ここで、第１メタ情報ＭＩ１はタブリン・コア標準を含む。第１メタ情報ＭＩ１はコンテンツ一般情報テーブル１２１に保存される。
【００５０】
下記の（表２）はコンテンツ一般情報テーブル１２１の構造を示す一例である。
【００５１】
【表２】
2007157122.tif 000004
【００５２】
【表３】
2007157122.tif 000005
（表２）及び（表３）に示すように、第１メタ情報ＭＩ１はモバイルコンテンツ一般情報、タブリン・コア情報及び一般追加情報を含む。
【００５３】
モバイルコンテンツ一般情報は一般的なモバイルコンテンツの属性を定義するメタデータからなる。具体的に、モバイルコンテンツの一般情報は、各モバイルコンテンツを区別するためのコンテンツ識別子（Ｉｄｅｎｔｉｆｉｅｒ：以下、ＩＤ）、モバイルコンテンツの名称、モバイルコンテンツの種類、モバイルコンテンツのジャンル、モバイルコンテンツの分類体系を示すコンテンツカテゴリＩＤ、モバイルコンテンツを構成するインターネット文書の種類を示すマイム種類、モバイルコンテンツのファイルのサイズ、モバイルコンテンツの承認可否、モバイルコンテンツを提供したコンテンツ提供者のＩＤ、モバイルコンテンツを登録した登録者、モバイルコンテンツの利用価格、モバイルコンテンツの収入に対する利益配分率、モバイルコンテンツに対する簡略説明、モバイルコンテンツに対する詳細情報を提供するインターネットアドレス、モバイルコンテンツを登録した登録日、モバイルコンテンツを形成する言語、モバイルコンテンツに係る他のモバイルコンテンツとの連動可否、モバイルコンテンツの提供が終了される満了日、モバイルコンテンツの主要対象顧客などを示すメタデータを含む。
【００５４】
ここで、モバイルコンテンツＩＤは各モバイルコンテンツのアイテムごとに有一に付与される識別子である。従って、モバイルコンテンツＩＤが保存される「ｓＣｏｎｔｅｎｔＩｄ」フィールドはコンテンツ一般情報テーブル１２１の各レコードを区別する基本鍵（ｐｒiｍａｒｙ  Ｋｅｙ：ＰＫ）として設定されることができる。
【００５５】
特に、「ｓＰｒｏｍｐｔｉｏｎ」フィールドは選択されたモバイルコンテンツに係る他のモバイルコンテンツとの連動可否を示すため、モバイルコンテンツ管理装置１００は「ｓＰｒｏｍｏｔｉｏｎ」フィールドに保存されたメタデータを用いて係り合うモバイルコンテンツを連係するサービスを提供することができる。例えば、オーディオコンテンツを利用するとき、ユーザによって特定歌手の歌が選択されると、選択された歌に対応するミュージックビデオファイルをダウンロードすることができるように動画コンテンツをオーディオコンテンツと連係して提供する。
【００５６】
このように、モバイルコンテンツ管理装置１００は、一つのモバイルコンテンツを提供するのに止まらず、それと関連するモバイルコンテンツを連動して提供することができる。従って、モバイルコンテンツ管理装置１００は、ユーザが関連する他の種類のモバイルコンテンツを一々検索する必要がないため、ユーザの利便性を向上させることができる。
【００５７】
また、モバイルコンテンツ管理装置１００は、相異なる種類のモバイルコンテンツ間のシナジー効果を期待することができるので、モバイルコンテンツに係る利益創出を図ることができる。
【００５８】
一方、ダブリン・コア情報はダブリン・コア標準によって定義されたコンテンツの一般的な属性に対するメタデータを含み、現在頒布された多様なメタデータ標準で共通属性としてよく活用される情報である。具体的に、ダブリン・コア情報は、コンテンツを生成した生成者、コンテンツの発行を担当する責任者、コンテンツの配布を担当する責任者、コンテンツに係る権利内容、コンテンツの地理的・時間的な特性、コンテンツの物理的なフォーマットに対する情報、コンテンツソースに対する情報、コンテンツのトピックまたはキーワードを示す情報、モバイルコンテンツの対象顧客、現在のモバイルコンテンツの使用可否、モバイルコンテンツの生成日付、モバイルコンテンツの変更日付、モバイルコンテンツの承認日付、モバイルコンテンツを利用する顧客の学歴レベル情報、モバイルコンテンツのバージョン情報、モバイルコンテンツの利用可能な顧客権限情報、モバイルコンテンツのライセンスを示すライセンス文句、及びモバイルコンテンツの有効性可否を示すメタデータを含む。
【００５９】
一般追加情報は、ダブリン・コア情報及びモバイルコンテンツ一般情報に含まれたメタデータの以外に、モバイルコンテンツを利用する顧客またはモバイルコンテンツを提供するコンテンツ提供者の要求に応じて追加されるメタデータを含む。ここで、一般追加情報はモバイルコンテンツの種類に関係なく共通で適用できるメタデータである。
【００６０】
このように、コンテンツ一般情報テーブル１２１は、モバイルコンテンツの一般的な属性を定義する第１メタ情報ＭＩ１を含む。特に、第１メタ情報ＭＩ１は通常よく使うダブリン・コア標準以外にも、モバイルコンテンツサービスに必要な多様なメタデータを含む。従って、モバイルコンテンツ管理装置１００は多様なコンテンツサービスを提供することができるので、サービス品質を向上させることができる。また、モバイルコンテンツ管理装置１００は第１メタ情報ＭＩ１を用いてモバイルコンテンツに係る多様な統計データを算出することができるので、具体的な統計データを生成することができ、モバイルコンテンツの事業性を正確に把握することができる。
【００６１】
特に、第１メタ情報ＭＩ１は関連する相異なる種類のモバイルコンテンツ間の連係可否を示すメタデータを含むので、モバイルコンテンツ管理装置１００はユーザの利便性を向上させることができ、モバイルコンテンツ間のシナジー効果を向上させることができる。
【００６２】
一方、第２メタ情報ＭＩ２はモバイルコンテンツの類型に応じて固有属性を定義するメタデータからなる。第２メタ情報ＭＩ２は各モバイルコンテンツ類型に応じて有する一般的な属性を示すメタデータからなる類型別一般情報、コンテンツファイルの物理的な属性を示すメタデータからなる物理的属性情報、モバイルコンテンツの類型に応じて独特の属性を示すメタデータからなる類型別個別情報、モバイルコンテンツ保護及び利用料金に係るメタデータからなる実用情報、及びモバイルコンテンツの類型に応じてユーザの要求及びモバイルコンテンツ提供者の要求によって追加され得るメタデータからなる類型別追加情報を含む。
【００６３】
第２メタ情報ＭＩ２の類型別一般情報、物理的属性情報、及びモバイルコンテンツ類型別情報は、追加属性定義テーブル１２２及び追加属性値テーブル１２３に保存される。具体的に、追加属性定義テーブル１２２は各コンテンツで提供する各アイテムに対する類型別一般情報、物理的属性情報、及びモバイルコンテンツ類型別情報を保存するためのフィールドを定義するテーブルである。従って、追加属性定義テーブル１２２は、各アイテムに対する実質的な値を保存するテーブルではなく、実質的な値は追加属性値テーブル１２３に保存される。
【００６４】
追加属性値テーブル１２３は追加属性定義テーブル１２２のフィールド構成と同一であり、追加属性定義テーブル１２２のフィールド構成に従ってフィールドが生成される。つまり、追加属性定義テーブル１２２でフィールドが生成されると、追加属性値テーブル１２３に追加属性定義テーブル１２２で生成されたフィールドと同一のフィールドが生成される。これにより、追加属性値テーブル１２３のレコードを動的に管理することができるので、データ保存空間を最小化することができる。
【００６５】
しかし、追加属性定義テーブル１２２の一部フィールドは追加属性値テーブル１２３に生成されないこともある。例えば、追加属性定義テーブル１２２のフィールドの中で追加属性値テーブル１２３に生成されないフィールドに対応する実質的なデータは追加属性定義テーブル１２２に保存されることもできる。
【００６６】
追加属性定義テーブル１２２はアイテムに対応する基本情報及びモバイルコンテンツの類型に応じた属性を示す第２メタ情報ＭＩ２を定義するためのフィールドからなる。
【００６７】
下記の（表４）は、追加属性定義テーブル１２２のフィールド構成を示す一例である。
【００６８】
【表４】
2007157122.tif 000006
（表４）は、追加属性定義テーブル１２２に含まれたフィールドの中で第２メタ情報ＭＩ２の類型別一般情報を示すフィールドであって、モバイルコンテンツの類型に関係なく各アイテムに共通的に適用されるフィールドである。
【００６９】
（表４）に示すように、追加属性定義テーブル１２２はコンテンツ種類を示すコンテンツ類型、アイテム名称、アイテムに対する簡略説明、アイテムの入力値で入力されるデータ類型、アイテム優先順位、アイテムがコンテンツを説明する追加的な属性であるか否かを示す情報、アイテムを形成する言語を示す言語コードなどを示すメタデータを定義する。
【００７０】
ここで、追加属性定義テーブル１２２のコンテンツカテゴリＩＤを示す「ｓＣｏｎｔｅｎｔＴｙｐｅ」フィールドは追加属性定義テーブル１２２の各レコードを区別することができるフィールドなので、他の属性と共に追加属性定義テーブル１２２の基本鍵として設定されることができる。
【００７１】
以下、表に基づいてモバイルコンテンツの各類型に応じて異なるように適用される第２メタ情報ＭＩ２及び追加属性定義テーブル１２２のフィールド構成を説明する。
【００７２】
第２メタ情報ＭＩ２はモバイルコンテンツの類型に応じてメタデータの構成が一部分異なる。下記の（表５）はオーディオコンテンツの第２メタ情報ＭＩ２を示す追加属性定義テーブル１２２のフィールド構成を示す一例である。
【００７３】
【表５】
2007157122.tif 000007
（表５）に示すように、追加属性定義テーブル１２２はオーディオコンテンツの第２メタ情報ＭＩ２を定義する。具体的に、第２メタ情報ＭＩ２の中のオーディオコンテンツの物理的属性情報は、オーディオファイルの類型に応じて各アイテムの属性情報を含む。オーディオファイルの類型としては、オーディオ及びオーディオに係るイメージを提供するｍｍｆファイル、ｍａ１ファイルなどがある。ファイル類型に応じたアイテムの属性情報はオーディオファイルのサイズ、ファイルの物理的位置、オーディオの和音情報、オーディオを予め聴くことができる試聴ファイルの物理的位置、オーディオに係るイメージファイルの経路などを示すメタデータを含む。
【００７４】
オーディオコンテンツの類型別個別情報はオーディオ関連コンテンツに対して予め設定されたメタデータ標準を含む。ここで、オーディオコンテンツの類型別個別情報に適用されるメタデータ標準は光学保存技術連合会で制定されたメタデータ標準であるＭＰＶを採用する。特に、オーディオコンテンツの類型別個別情報はＭＰＶ標準の中で音楽関連標準を採用する。具体的に、オーディオコンテンツの類型別個別情報は各アイテム、即ち、作曲者、歌手、製作者、歌詞、曲の雰囲気などに対するメタデータを含む。
【００７５】
一方、オーディオコンテンツの実用情報はオーディオファイルの使用権限に係る属性を定義するメタデータ及びオーディオコンテンツの利用料に係る情報を示すメタデータを含む。特に、オーディオファイルの使用権限を設定する情報は、オーディオファイルの無断使用を防止するための属性を定義するメタデータを含む。一例として、実用情報はデジタルコンテンツの無断使用を防止するために、著作権に係る人の利益及び権利を保護するためのＤＲＭ（Ｄｉｇｉｔａｌ  Ｒｉｇｈｔｓ  Ｍａｎａｇｅｍｅｎｔ）パッケージングと関連した情報、オーディオファイルがＤＲＭパッケージングされ生成されたファイルのマイム情報、暗号化情報などを示すメタデータを含む。
【００７６】
下記の（表６）は、イメージコンテンツの第２メタ情報ＭＩ２を定義する追加属性定義テーブル１２２のフィールド構成を示す一例である。
【００７７】
【表６】
2007157122.tif 000008
（表６）に示すように、追加属性定義テーブル１２２はイメージコンテンツに対応する第２メタ情報ＭＩ２を定義する。ここで、イメージコンテンツは無線端末機５００（図１参照）に表示される背景画面ファイルなどを提供するコンテンツである。
【００７８】
具体的に、イメージコンテンツの第２メタ情報ＭＩ２の中の物理的属性情報は、イメージファイルの類型に応じて各アイテムの属性情報を保存する。イメージファイルの類型としては、ｊｐｅｇファイル、ｓｉｓファイル、ｇｉｆファイル、ｂｍｐファイルなどがある。イメージファイルの類型に応じたアイテムの属性情報としては、ファイルサイズ、ファイルの物理的位置、イメージファイルの経路などを示すメタデータを含む。
【００７９】
イメージコンテンツのモバイルコンテンツ類型別情報は、イメージ関連コンテンツに対して予め設定されたメタデータ標準を含む。ここで、イメージコンテンツのモバイルコンテンツ類型別情報に適用されるメタデータ標準は、ＭＰＶ標準の中で写真関連標準を採用する。
【００８０】
一方、イメージコンテンツの実用情報は、イメージファイルの使用権限に係る属性を定義するメタデータ及びイメージコンテンツの利用料と関連情報を示すメタデータを含む。特に、イメージファイルの使用権限を設定する情報はイメージファイルの無断使用を防止するための属性を定義するメタデータを含む。一例として、イメージコンテンツの実用情報は、ＤＲＭパッケージングに係る情報、イメージファイルがＤＲＭパッケージングされ生成されたファイルのマイム情報、暗号化情報などを示すメタデータを含む。
【００８１】
下記の（表７）及び（表８）は、動画コンテンツの第２メタ情報ＭＩ２を定義する追加属性定義テーブル１２２のフィールド構成を示す一例である。
【００８２】
【表７】
2007157122.tif 000009
【００８３】
【表８】
2007157122.tif 000010
（表７）及び（表８）に示すように、追加属性定義テーブル１２２は動画コンテンツの第２メタ情報ＭＩ２を定義する。ここで、動画コンテンツは無線端末機５００（図１参照）に映画やミュージックビデオのような動画を提供するコンテンツである。
【００８４】
具体的に、動画コンテンツの第２メタ情報ＭＩ２の中の類型別一般情報は、各動画アイテムに共通で適用される属性を定義するメタデータからなる。
【００８５】
一例として、動画コンテンツの類型別一般情報は動画の上映時間、著作権、動画タイトル、コーデック関連情報などを示すメタデータを含む。
【００８６】
動画コンテンツの物理的属性情報は、動画の画質に応じて各アイテムの属性情報を保存する。つまり、動画コンテンツの物理的属性情報は、同一の動画であっても一般画質の動画及び一般画質より画質の良いプレミアム画質の動画にそれぞれ分類して各画質に対応する動画ファイルに係る属性情報を示す。例えば、動画コンテンツの物理的属性情報は一般画質動画ファイル及びプレミアム画質動画別にファイルのサイズ、ファイルが保存された位置、ファイルの経路などを示すメタデータを含む。
【００８７】
動画コンテンツの類型別個別情報は、動画関連コンテンツに対して予め設定されたメタデータ標準を含む。ここで、動画コンテンツの類型別個別情報に適用されるメタデータ標準はＭＰＶ標準の中で放送プログラム関連標準を採用する。
【００８８】
具体的に、動画コンテンツの類型別個別情報は、各動画の個別的な属性に対するメタデータからなる。例えば、動画コンテンツ類型別個別情報は、動画の登場人物、動画を製作した製作者、動画のコーディング関連情報、動画の提供可能な言語などを示すメタデータからなる。
【００８９】
動画コンテンツの実用情報は、前述のオーディオコンテンツ及びイメージコンテンツの実用情報と同一なので、重複説明は省略する。
【００９０】
下記の（表９）は、放送コンテンツの第２メタ情報ＭＩ２を定義する追加属性定義テーブル１２２のフィールド構成を示す一例である。
【００９１】
【表９】
2007157122.tif 000011
（表９）に示すように、第２メタ情報ＭＩ２の中の放送コンテンツに適用される類型別一般情報は、放送局から送出される放送ストリームに係る属性情報を含む。例えば、放送コンテンツの類型別一般情報は、各放送局から提供される放送サービス、例えばケーブル放送サービス及び一般放送サービスを識別する放送サービスＩＤ、放送チャネルを識別する放送チャネルＩＤ、放送プログラムを表示するための放送ストリームのソース情報などを示すメタデータからなる。第２メタ情報ＭＩ２の中のモバイル放送コンテンツに適用される実用情報は、オーディオコンテンツの実用情報と類似しているので、重複説明は省略する。
【００９２】
下記の（表１０）は、仮想マシンコンテンツの第２メタ情報ＭＩ２を定義する追加属性定義テーブル１２２のフィールド構成を示す一例である。ここで、仮想マシンコンテンツとしてはモバイルゲームなどがある。
【００９３】
【表１０】
2007157122.tif 000012
（表１０）に示すように、第２メタ情報ＭＩ２の中の仮想マシンコンテンツに適用される類型別個別情報は、ＯＭＡで制定されたユーザエージェントプロファイル標準を採用する。具体的に、仮想マシンコンテンツの類型別個別情報は、仮想マシンの類型、現在バージョン、仮想マシンが要求するソフトウェア情報、仮想マシンが要求するハードウェア関連情報などを示すメタデータからなる。ここで、仮想マシンが要求するソフトウェア情報は支援される仮想マシンが駆動できるブラウザ情報、カラー情報などを含み、仮想マシンが要求するハードウェア関連情報は仮想マシンの駆動に必要な中央処理装置（ＣＰＵ）の最小処理速度情報、最小メモリ容量情報などを含む。
【００９４】
第２メタ情報ＭＩ２の中の仮想マシンコンテンツの実用情報は、仮想マシンに対する説明、仮想マシンのヒストリー情報、仮想マシンの使用権限に係る情報、及び仮想マシンの利用料に係る情報を含む。例えば、仮想マシンコンテンツの実用情報は、仮想マシンのバージョン情報、開発者情報、ゲームの類型などを示すメタデータを含む。ここで、仮想マシンの使用権限及び利用料に係る情報はオーディオコンテンツの実用情報と類似しているので、重複説明は省略する。
【００９５】
このように、追加属性定義テーブル１２２は仮想マシンの駆動に応じた多様なメタ情報の属性を定義する。特に、追加属性定義テーブル１２２は仮想マシンが要求するハードウェア仕様及びソフトウェア仕様に対する情報を定義する。これにより、モバイルコンテンツ管理装置１００は各仮想マシンが要求するハードウェア仕様及びソフトウェア仕様に対する実質的なメタデータ値を追加属性値テーブル１２３から検出して無線端末機５００（図１参照）の仕様がユーザが選択した仮想マシンの仕様に適しているか否かを判断することができる。従って、モバイルコンテンツ管理装置１００はユーザが該当無線端末機で駆動できない仮想マシンを選択することによるユーザの損害を防止することができるので、サービス品質を向上させることができる。
【００９６】
下記の（表１１）は、ウェブニュースのようなウェブ文書形態のコンテンツを提供するテキストコンテンツの第２メタ情報ＭＩ２を定義する追加属性定義テーブル１２２のフィールド構成を示す一例である。
【００９７】
【表１１】
2007157122.tif 000013
（表１１）に示すように、第２メタ情報ＭＩ２の中のテキストコンテンツに適用される類型別個別情報は、ワールドワイドウェブコンソーシアムで制定されたＲＳＳ（ＲＤＦ（リソースデスクリプションフレームワーク）サイトサマリ）標準を採用する。具体的に、テキストコンテンツの類型別個別情報は、テキストに係る個別的な属性関連メタデータ、例えばテキストタイトル、テキストソース情報、テキストで支援可能な言語情報、テキスト作成者、テキストアドレス情報などを示すメタデータを含む。
【００９８】
第２メタ情報ＭＩ２の中のテキストコンテンツの実用情報は、オーディオコンテンツの実用情報と類似しているので、重複説明は省略する。
【００９９】
一方、追加属性値テーブル１２３は追加属性定義テーブル１２２で定義されたフィールドに対して実質的なデータを保存するためのレコードが生成される。つまり、追加属性値テーブル１２３はモバイルコンテンツを構成するために各アイテムが有する実質的なメタデータ属性値を保存する。
【０１００】
下記の（表１２）は、追加属性値テーブル１２３のフィールド構成を示す一例である。
【０１０１】
【表１２】
2007157122.tif 000014
本実施形態において、追加属性値テーブル１２３のフィールド構成は追加属性定義テーブル１２２のフィールド構成と類似している。従って、（表１２）に示された追加属性値テーブル１２３のフィールド構成は（表４）ないし（表１１）に示された追加属性定義テーブル１２２の各コンテンツの種類によって異なるように構成されるフィールドは省略して示し、重複説明は省略する。
【０１０２】
（表１２）に示すように、追加属性値テーブル１２３は第２メタ情報ＭＩ２の類型別一般情報を保存する。追加属性値テーブル１２３はそれぞれモバイルコンテンツで提供する各アイテムの属性情報、即ち、各アイテムが有する個別的な属性を定義するメタデータ属性を保存する。
【０１０３】
オーディオコンテンツを一例として追加属性値テーブル１２３に保存されるメタデータ属性値を説明すると、ＭＰ３ファイルからなる特定歌手の歌をオーディオコンテンツのアイテムで登録する場合、「ｓＣｏｎｔｅｎｔＴｙｐｅ」フィールドのレコードには「ＭＰ３」が保存され、「ｓＶａｌ」フィールドのレコードには歌手の名前が保存される。
【０１０４】
追加属性値テーブル１２３のコンテンツカテゴリＩＤを示す「ｓＣｏｎｔｅｎｔＴｙｐｅ」フィールドは追加属性値テーブル１２３の各レコードを区別することができるフィールドなので、他の属性と共に追加属性値テーブル１２３の基本鍵として設定されることができる。参考までに、コンテンツ一般情報テーブル１２１の「ｓＣｏｎｔｅｎｔＴｙｐｅ」フィールドは、追加属性定義テーブル１２２及び追加属性値テーブル１２３に保存されたメタデータ属性値を参照することができる外部鍵（Ｆｏｒｅｉｇｎ  Ｋｅｙ：ＦＫ）として設定されることができる。
【０１０５】
一方、コンテンツ種類情報テーブル１２４はモバイルコンテンツの類型に対する情報を保存する。下記の（表１３）は、コンテンツ種類情報テーブル１２４のフィールド構成を示す一例である。
【０１０６】
【表１３】
2007157122.tif 000015
（表１３）に示すように、コンテンツ種類情報テーブル１２４はモバイルコンテンツの各類型に対する具体的な説明を保存する。
【０１０７】
統計情報テーブル１２５及びマッピング情報テーブル１２６は第３メタ情報ＭＩ３を保存する。つまり、統計情報テーブル１２５は第３メタ情報ＭＩ３の統計情報を保存し、マッピング情報テーブル１２６は第３メタ情報ＭＩ３のコンテンツ関係情報を保存する。
【０１０８】
一方、第３メタ情報ＭＩ３は相異なる類型のモバイルコンテンツ間の連結関係に対する情報を含むコンテンツ関係情報、及びモバイルコンテンツに対する統計データを含む統計情報を含む。ここで、統計情報は統計情報テーブル１２５に保存され、コンテンツ関係情報はマッピング情報テーブル１２６に保存される。
【０１０９】
下記の（表１４）は統計情報テーブル１２５のフィールド構成を示す一例であり、表１５はマッピング情報テーブル１２６のフィールド構成を示す一例である。
【０１１０】
【表１４】
2007157122.tif 000016
【０１１１】
【表１５】
2007157122.tif 000017
（表１４）及び（表１５）に示すように、統計情報テーブル１２５に保存される統計情報は、各アイテムの推薦回数、ダウンロード回数、アイテムにアクセスした回数などを示すメタデータを含む。これにより、モバイルコンテンツ管理装置１００は統計情報テーブル１２５を用いてモバイルコンテンツに係る多様な条件の統計データを算出することができる。
【０１１２】
一方、マッピング情報テーブル１２６に保存されるコンテンツ関係情報は、各アイテムに係る他の類型のモバイルコンテンツアイテムのＩＤなどを示すメタデータを含む。これにより、モバイルコンテンツ管理装置１００はマッピング情報テーブル１２６を用いて相異なる類型のモバイルコンテンツを連携するサービスを提供することができる。
【０１１３】
前述のように、データ保存部１２０はモバイルコンテンツに係る詳細なコンテンツ情報を保存する。これにより、モバイルコンテンツ管理装置１００はモバイルコンテンツに係る多様な統計情報を算出することができ、一律的なモバイルコンテンツサービスではなく、無線端末機５００ユーザの個別的な趣向に合う特化されたモバイルコンテンツサービスを提供することができる。
【０１１４】
また、図１に示すように、メタ情報検出部１３０は連関する相異なる類型のモバイルコンテンツを連携するサービスが提供できるようにコンテンツ一般情報テーブル１２１に基づいてコンテンツ関係情報を生成する。メタ情報検出部１３０は生成されたコンテンツ関係情報をデータ保存部１２０に提供し、データ保存部１２０は受信されたコンテンツ関係情報をマッピング情報テーブル１２６（図２参照）に保存する。
【０１１５】
また、メタ情報検出部１３０はデータ保存部１２０に保存された第１ないし第３メタ情報に基づいてモバイルコンテンツに係る多様な条件の統計情報を算出する。
【０１１６】
一例として、動画コンテンツを提供する際、特定のユーザが一般的によく使う韓国語ではなく英語になっているオーディオの出力を希望する場合、メタ情報検出部１３０は追加属性定義テーブル１２２の「ａｕｄｉｏＬａｎｇｕａｇｅ」フィールド（表８参照）に保存された該当モバイルコンテンツのオーディオ言語情報を参照してユーザ所望する英語でオーディオを出力する。
【０１１７】
他の例として、オーディオコンテンツの統計データを算出する際、メタ情報検出部１３０は再生時間が４分以上の着信音のダウンロード順位を追加属性値テーブル１２３（図２参照）及び統計情報テーブル１２５（図２参照）を用いて算出することができる。つまり、メタ情報検出部１３０は追加属性値テーブル１２３（図２参照）のオーディオコンテンツに対応するフィールド（表５参照）及び統計情報テーブル１２５（図２参照））に基づいて統計データ算出条件に対応するデータを算出する。
【０１１８】
このように、モバイルコンテンツ管理装置１００はデータ保存部１２０に多様なメタデータを保存することで、多様な統計データを算出することができ、これによりユーザの要求に応じた多様なモバイルコンテンツの開発方向を提示することができる。
【０１１９】
一方、入力部１４０はモバイルコンテンツ管理装置１００のユーザの操作に応じて所定の命令を生成して制御部１５０に提供する。入力部１４０はモバイルコンテンツのアイテムファイルを登録するかモバイルコンテンツに係るメタデータを入力する命令を生成して制御部１５０に提供する。
【０１２０】
制御部１５０は入力部１４０から受信された命令に従って通信部１１０、データ保存部１２０、メタ情報検出部１３０及びディスプレイ部１６０を制御し、コンテンツ提供装置３００または入力部１４０から提供されたメタデータをデータ保存部１２０に保存する。つまり、制御部１５０はモバイルコンテンツの登録及びモバイルコンテンツに対応するメタデータを入力するためのユーザインターフェースを提供する。
【０１２１】
図４は図１に示されたモバイルコンテンツ管理装置で提供するユーザインターフェース画面の一例を示す図面であって、オーディオコンテンツを登録するユーザインターフェース画面の一例を示す。
【０１２２】
図１及び図４に示すように、ユーザインターフェース（ＵＩ）は第１メタ情報ＭＩ１及び第２メタ情報ＭＩ２を入力するインターフェースを提供する。
【０１２３】
具体的に、データが入力されるユーザインターフェース（ＵＩ）の入力項目の中で第１メタ情報ＭＩ１に係る入力項目は、オーディオコンテンツ名称を入力する項目、オーディオコンテンツのカテゴリを選択する項目、オーディオコンテンツのＩＤを入力する項目、オーディオコンテンツ利用価格を入力する項目、オーディオコンテンツ利用による利益配分率を入力する項目、オーディオコンテンツに対する簡略説明を入力する項目、オーディオコンテンツに対する詳細情報が保存されたインターネットアドレスを入力する項目、オーディオコンテンツで支援する言語の種類を選択する項目、及び該当オーディオコンテンツに係る他の類型のオーディオコンテンツとの連携サービスの提供可否を選択するプロモーション可否項目を含む。
【０１２４】
一方、ユーザインターフェース（ＵＩ）の入力項目の中で第２メタ情報ＭＩ２に係る入力項目は、オーディオコンテンツの歌手または演奏者の名前を入力する項目、オーディオコンテンツに係るイメージファイルが保存された経路を入力する項目、オーディオコンテンツのオーディオファイルが保存された経路を入力する項目、及びオーディオコンテンツの一部分を試聴することができるようにオーディオコンテンツのサンプルファイルが保存された経路を入力する項目を含む。
【０１２５】
ユーザインターフェース（ＵＩ）は各入力項目に入力されたデータをデータ保存部１２０に保存する保存ボタンＢ１及び入力されたデータの登録を取り消すキャンセルボタンＢ２を含む。制御部１５０は保存ボタンＢ１が選択されると、各入力項目に入力されたデータをデータ保存部１２０に保存し、キャンセルボタンＢ２が選択されると、各入力項目を初期化する。
【０１２６】
一方、制御部１５０は無線端末機５００の要請に応じてモバイルコンテンツを提供する。特に、制御部１５０は無線端末機５００にモバイルコンテンツを提供するためのモバイルコンテンツメニューを提供する。モバイルコンテンツ管理装置１００においてモバイルコンテンツを提供する過程及びモバイルコンテンツメニューに対する説明は図５及び図６に基づいて具体的に説明する。
【０１２７】
ディスプレイ部１６０は制御部１５０の制御に従って所定のデータを表示する。つまり、ディスプレイ部１６０は入力部１４０を介してモバイルコンテンツが登録される場合、ユーザインターフェース（ＵＩ）を表示する。
【０１２８】
図５は本発明の一実施形態に係るモバイルコンテンツを提供する過程を示すフローチャートであり、図６は図１に示されたモバイルコンテンツ管理装置で提供する着信音ダウンロードメニュー画面の一例を示す図面である。
【０１２９】
ここで、図５及び図６はモバイルコンテンツの中で無線端末機５００に着信音ファイルを提供するオーディオコンテンツを一例とする。
【０１３０】
図１及び図５に示すように、初めに、制御部１５０は無線端末機５００が無線通信網４００に接続されることによって無線端末機５００と連結される（Ｓ６１０段階）。
【０１３１】
次に、制御部１５０は無線端末機５００の要請に応じて着信音のカテゴリを選択するための着信音メニューを無線通信網４００を介して無線端末機５００に提供する（Ｓ６２０段階）。これにより、無線端末機５００は着信音メニューを表示する。
【０１３２】
次に、制御部１５０は無線端末機５００によって着信音メニューの特定カテゴリが選択されると、選択されたカテゴリに対応する着信音リストを無線通信網４００を介して無線端末機５００に提供する。制御部１５０は無線端末機５００によって着信音リスト上の特定の着信音が選択されると、図６に示すように、選択された着信音をダウンロードすることができる着信音ダウンロード画面（ＳＵＩ）を提供する（Ｓ６３０段階）。これにより、無線端末機５００は着信音ダウンロード画面（ＳＵＩ）を表示する。
【０１３３】
図６に示すように、着信音ダウンロード画面（ＳＵＩ）は選択された着信音の曲名及び着信音に対応する歌手または演奏者などを示す着信音基本情報（ＣＳ）及び着信音に係るデータを要請する選択メニュー（Ｍ）を表示する。
【０１３４】
選択メニュー（Ｍ）は選択された着信音を予め聞くことができる試聴メニュー、選択された着信音をダウンロードするダウンロードメニュー、及び着信音に対応するミュージックビデオを要請するミュージックビデオメニューを含む。
【０１３５】
また、図１及び図５に示すように、制御部１５０はユーザによって選択メニュー（Ｍ）（図６参照）の中でダウンロードメニューが選択されることにより、無線端末機５００から着信音ファイルのアップロードを要請する着信音要請信号を受信する（Ｓ６４０段階）。
【０１３６】
次に、制御部１５０はデータ保存部１２０の追加属性定義テーブル１２２（図２参照）に保存された着信音ファイルのメタデータの中で選択された着信音ファイルに対応するメタデータ、例えば、ファイルのサイズ情報、和音情報などを参照して選択された着信音ファイルがユーザの無線端末機５００で駆動可能であるか否か又は無線端末機５００の仕様に適合であるか否かを判断る（Ｓ６５０段階）。
【０１３７】
Ｓ６５０段階において、制御部１５０は選択された着信音が無線端末機５００の仕様に適合ではないことと判断されると、誤りメッセージを生成して無線端末機５００に提供する（Ｓ６６０段階）。例えば、選択された着信音が６４和音を支援するが、無線端末機５００で支援可能な和音は１６和音の場合、選択された着信音は該当無線端末機５００に適しない。
【０１３８】
Ｓ６５０段階において、選択された着信音が無線端末機５００の仕様に適合であると判断されると、制御部１５０は選択された着信音のファイルを無線通信網４００を介して無線端末機５００に伝送する（Ｓ６７０段階）。ここで、無線端末機５００に提供される着信音ファイルはモバイルコンテンツ管理装置１００に内蔵されたファイルであることもあり、コンテンツ提供装置３００に内蔵されたファイルであることもある。着信音ファイルがコンテンツ提供装置３００に内蔵された場合、モバイルコンテンツ管理装置１００は着信音ファイルをコンテンツ提供装置３００から受信して無線端末機５００に提供されることもでき、コンテンツ提供装置３００から直接無線端末機５００に提供されることできる。
【０１３９】
一方、制御部１５０はユーザの操作によって選択メニュー（Ｍ）（図６参照）の中のミュージックビデオメニューが選択されることにより、無線端末機５００からミュージックビデオ要請信号が受信されたか否かを判断する（Ｓ６８０段階）。
【０１４０】
Ｓ６８０段階において、制御部１５０はミュージックビデオ要請信号が受信されなかったことと判断されると、現在状態を維持する。
【０１４１】
Ｓ６８０段階において、制御部１５０はミュージックビデオ要請信号が受信されたことと判断されると、制御部１５０は選択された着信音に対応するミュージックビデオファイルを無線端末機５００に提供する（Ｓ６８０段階）。ここで、ミュージックビデオ要請信号を受信する際、制御部はミュージックビデオを提供する動画コンテンツメニューを無線端末機５００に提供してミュージックビデオファイルを提供することもでき、動画コンテンツメニューを提供せず直接ミュージックビデオファイルを提供することもできる。
【０１４２】
また、ミュージックビデオファイルは着信音ファイルと同じく、モバイルコンテンツ管理装置１００に内蔵されたファイルであることもあり、コンテンツ提供装置３００に内蔵されたファイルであることある。保存位置に応じた提供方法も着信音ファイルと同一である。
【０１４３】
前述のように、モバイルコンテンツ管理装置１００はデータ保存部１２０に保存されたメタデータを用いてモバイルコンテンツの制約仕様、連関された他の類型のモバイルコンテンツに対する情報を把握することができるので、モバイルコンテンツサービスの品質及びユーザの利便性を向上させることができる。
【０１４４】
以上、本発明の好適な実施形態を図示及び説明してきたが、本発明の技術的範囲は前述の実施形態に限定するものではなく、特許請求の範囲に基づいて定められ、特許請求の範囲において請求する本発明の要旨から外れることなく当該発明が属する技術分野において通常の知識を有する者であれば誰もが多様な変形実施が可能であることは勿論のことであり、該変更した技術は特許請求の範囲に記載された発明の技術的範囲に属するものである。
【図面の簡単な説明】
【０１４５】
【図１】本発明の一実施形態に係るモバイルコンテンツ管理装置を示すブロック図である。
【図２】図１に示されたデータ保存部のテーブルを示すブロック図である。
【図３】図１に示されたデータ保存部のメタ情報を示すブロック図である。
【図４】図１に示されたモバイルコンテンツ管理装置で提供するユーザインターフェース画面の一例を示す図である。
【図５】本発明の一実施形態に係るモバイルコンテンツを提供する過程を示すフローチャートである。
【図６】図１に示されたモバイルコンテンツ管理装置で提供する着信音ダウンロードメニューの一例を示す図である。
【符号の説明】
【０１４６】
１００      モバイルコンテンツ管理装置      
２００      有線通信網
３００      コンテンツ提供装置
４００      無線通信網
５００      無線端末機
【図１】
2007157122.tif 000018
【図２】
2007157122.tif 000019
【図３】
2007157122.tif 000020
【図４】
2007157122.tif 000021
【図５】
2007157122.tif 000022
【図６】
2007157122.tif 000023